(57)【要約】【課題】建具体の戸先側が垂れ下がりした時の建具体の戸先側と建具枠との間の面内方向の隙間を許容値内とすることができる建具とする。【解決手段】建具体２の框組体２４を、戸先側が吊元側よりも上にずれたほぼ平行四辺形状とし、その建具体２を建具枠１に取付けた状態で、戸先側の垂れ下がりが生じた時に框組体２４がほぼ長方形状となり、建具体２の戸先側と建具枠１との間の面内方向の隙間を許容値内とすることができるようにした建具である。【選択図】図３
2008180023.tif 000002
【特許請求の範囲】
【請求項１】
建具体の框組体を、その戸先側が吊元側よりも上にずれたほぼ平行四辺形状とし、
前記建具体の建具枠への取付けによる戸先側の垂れ下がりによって前記框組体がほぼ長方形状となり、建具体の戸先側と建具枠との面内方向の隙間が許容値内となるようにしたことを特徴とする建具。
【請求項２】
吊元框と上框のコーナー角度が９０度より大きいと共に、前記吊元框と下框のコーナー角度が９０度より小さく、
前記吊元框と戸先框が平行であると共に、前記上框と下框が平行とした請求項１記載の建具。
【請求項３】
上框、下框の長手方向両端部分に連結部材をそれぞれ設け、その各長手方向両端部分を吊元框の凹陥部、戸先框の凹陥部にそれぞれ嵌合し、前記各連結部材の傾斜した端面を、前記各凹陥部の底面に接して框組体とした請求項１又は２記載の建具
【請求項４】
上框、下框の長手方向両端部分に、上連結部材と下連結部材を長手方向に位置調整自在にそれぞれ取付け、その各長手方向両端部分を吊元框の凹陥部、戸先框の凹陥部にそれぞれ嵌合し、前記各上下連結部材の端面を各凹陥部の底面に接して框組体とした請求項１又は２記載の建具。
【請求項５】
上框、下框の長手方向両端部分を吊元框の凹陥部、戸先框の凹陥部にそれぞれ嵌合し、その長手方向両端面をＶ字形状のライナーを介して前記各凹陥部の底面にそれぞれ接して框組体とした請求項１又は２記載の建具。
【発明の詳細な説明】
【技術分野】
【０００１】
本発明は、玄関ドア、勝手口ドア、開き窓などの建具枠に建具体を開閉自在に取付けた建具に関する。
【背景技術】
【０００２】
建具としては、特許文献１に開示した開き窓が知られている。
この開き窓は、建具枠である窓枠フレームに、建具体である障子の吊元側を丁番で開閉自在に取付けてある。
このような開き窓においては、障子の戸先側が障子の重さ等によって垂れ下がり、その垂れ下がりによって窓枠フレームと障子戸先側との間の隙間が許容値を外れると、障子が窓枠フレームに干渉等して障子の開閉に支障をきたすことがある。
【０００３】
そこで、前述の特許文献１に開示した開き窓においては、障子フレームにガラスを装着して障子とすると共に、戸先側の上部に調整ガラスライナーを設けて障子が垂れ下がった時に、障子フレームの上下一を調整して窓枠フレームと障子フレームの戸先側との間の隙間が許容値内となるようにしている。
【特許文献１】実開平６−７９９８７号公報
【発明の開示】
【発明が解決しようとする課題】
【０００４】
前述した従来の開き窓は、ガラスの剛性を利用し、ガラス自体を支えに障子フレームの上下位置を調整して、障子の戸先側の垂れ下がりを防止する構成であるから、窓枠フレームに障子を取付けた状態で、障子フレームの上下位置の調整操作をすることになるので、その調整操作が面倒である。
また、ガラスの剛性を利用するので、上げ下げ障子を内蔵した障子などのガラスを用いない障子を取付けした開き窓には対応できない。
【０００５】
本発明の目的は、建具体を建具枠に取付けることで、調整操作せずに、その建具体の戸先側と建具枠との間の面内方向の隙間を許容値内とすることができると共に、ガラスを用いない建具体を取付けした建具にも対応できるようにした建具を提供することである。
【課題を解決するための手段】
【０００６】
本発明は、建具体の框組体を、その戸先側が吊元側よりも上にずれたほぼ平行四辺形状とし、
前記建具体の建具枠への取付けによる戸先側の垂れ下がりによって前記框組体がほぼ長方形状となり、建具体の戸先側と建具枠との面内方向の隙間が許容値内となるようにしたことを特徴とする建具である。
【０００７】
本発明においては、吊元框と上框のコーナー角度が９０度より大きいと共に、前記吊元框と下框のコーナー角度が９０度より小さく、
前記吊元框と戸先框が平行であると共に、前記上框と下框が平行とすることができる。
このようにすれば、框組体が平行四辺形状で、取付け状態での戸先側の垂れ下がり時に長方形とすることが可能である。
したがって、建具とした時の見栄えが良いものになる。
【０００８】
本発明によれば、上框、下框の長手方向両端部分に連結部材をそれぞれ設け、その各長手方向両端部分を吊元框の凹陥部、戸先框の凹陥部にそれぞれ嵌合し、前記各連結部材の傾斜した端面を、前記各凹陥部の底面に接して框組体とすることができる。
このようにすれば、上框、下框の長手方向両端部分及び連結部材が吊元框、戸先框の凹陥部内に位置して外部から見えないので、框組体の外観が見栄え良い。
【０００９】
本発明によれば、上框、下框の長手方向両端部分に、上連結部材と下連結部材を長手方向に位置調整自在にそれぞれ取付け、その各長手方向両端部分を吊元框の凹陥部、戸先框の凹陥部にそれぞれ嵌合し、前記各上下連結部材の端面を各凹陥部の底面に接して框組体とすることができる。
【００１０】
このようにすれば、上框、下框の長手方向両端部分及び上下連結部材が吊元框、戸先框の凹陥部内に位置して外部から見えないので、框組体の見栄えが良い。
また、上連結部材と下連結部材の長手方向の位置を調整して上框、下框の長手方向端面からの突出寸法を変更することで、上框、下框と吊元框、戸先框の角度を変えて框組体を、建具体の大きさ、重さ等による戸先側の垂れ下がりに対応したほぼ平行四辺形状とすることができる。
【００１１】
本発明においては、上框、下框の長手方向両端部分を吊元框の凹陥部、戸先框の凹陥部にそれぞれ嵌合し、その長手方向両端面をＶ字形状のライナーを介して前記各凹陥部の底面にそれぞれ接して框組体とすることができる。
このようにすれば、上框、下框の長手方向両端部分及びライナーが吊元框、戸先框の凹陥部内に位置して外部から見えないので、框組体の見栄えが良い。
【発明の効果】
【００１２】
本発明によれば、建具体を建具枠に取付けることで、その建具体の戸先側が垂れ下がりした時に、調整操作せずに建具体の戸先側と建具枠の面内方向の隙間を許容値内とすることができる。
また、框組体自体の垂れ下がりを利用しているので、ガラスを用いない建具体を取付けした建具にも対応することができる。
【発明を実施するための最良の形態】
【００１３】
図１に示すように、建具枠１は上枠１０と下枠１１と左右の縦枠１２，１２で矩形状である。
前記建具枠１に開閉自在に取付けた建具体２は、吊元框２０と戸先框２１と上框２２と下框２３を矩形状に連結した框組体２４内に面材部材２５を装着したものである。
この面材部材２５はガラス、パネル、上げ下げ障子などで、この実施の形態ではガラスとしてある。
前記建具枠１の一方の縦枠１２に建具体２の吊元框２０がヒンジ３で連結され、建具体２は開閉自在に取付けられる。
【００１４】
前述のように、建具体２の吊元框２０を窓枠１の一方の縦枠１２に連結（吊る）することで、その建具体２の戸先框２１側（戸先側）が垂れ下がる。
この垂れ下がる原因としては、框組体２４の重さ、面材部材２５の重さ、各框の変形、各框の連結部を水密するシーラのつぶれ等が考えられる。
前記建具体２が垂れ下がり、その戸先側と建具枠１との間の面内方向の隙間が許容値を外れると建具体２が建具枠１に干渉等して建具体２の開閉に支障をきたすことがあるので、その建具体２の戸先側と建具枠１との間の隙間は、建具体２が垂れ下がった場合でも許容値内とすることが重要である。
例えば、下枠１１の上面と下框２３の下面との間の面内方向の隙間Ｓを許容値内として、許容値を外れないようにする。
【００１５】
そこで、本発明においては、図２に示すように、建具体２の框組体２４を、戸先框２１が吊元框２０よりも上方にずれ、上框２２と吊元框２０のコーナー角度α１が９０度より大きく、下框２３と吊元框２０のコーナー角度α２が９０度より小さく、上框２２、下框２３が、水平に対して、その戸先框２１側（戸先側）が吊元框２０側（吊元側）よりも上となる斜めの姿勢で、框組体２４をほぼ平行四辺形状とする。
好ましくは、上框２２と戸先框２１のコーナー角度α３が前記コーナー角度α２と同一で、下框２３と戸先框２１のコーナー角度α４が前記コーナー角度α１と同一で、上框２２と下框２３が平行で、吊元框２０と戸先框２１が平行である平行四辺形状とする。
【００１６】
このようにすることで、建具体２を建具枠１に前述のようにして取付けた状態で、建具体２の戸先側が垂れ下がると、前述のコーナー角度α１、α２がほぼ９０度となり、上框２２、下框２３がほぼ水平の姿勢で、框組体２４がほぼ長方形状となり、建具体２の戸先側と建具枠１との間の隙間が許容値内となるようにする。
例えば、前述の下枠１１の上面と下框２３の下面との間の隙間Ｓが許容値内で、許容値を外れないようにする。
【００１７】
要するに、本発明は、建具体２の框組体２４を、戸先側が吊元側よりも上となるほぼ平行四辺形状とし、その建具体２を建具枠１に前述のようにして取付けた状態で、建具体２の戸先側が垂れ下がった時に框組体２４がほぼ長方形状となり、建具体２の戸先側と建具枠１との隙間が許容値内となるようにすれば良い。
【００１８】
なお、框組体２４を平行四辺形状とすれば、取付けた状態で長方形状となるようにできるので、建具としての外観を見栄え良くできる。
すなわち、前述の框組体２４の平行四辺形状は、その建具体２の吊元框２０を窓枠１の一方の縦枠１２にヒンジ３で連結して建具体２を建具枠１に開閉自在に取付けた状態で、その建具体２の戸先側が垂れ下がった時に、その框組体２４が、前述のコーナー角α１、α２が９０度となった長方形状で、その上框２２、下框２３が水平の姿勢となるようにすることが好ましい。
【００１９】
このようにすることで、建具体２の吊元框２０を建具体１の一方の縦枠１２にヒンジ３で連結し、建具体２を建具枠１に開閉自在に取付けることで、特別な調整操作をせずに、建具体２の戸先側と建具枠１との間の隙間を許容値内とすることができる。
また、前記隙間を框組体２４の変形によって許容値内としているので、面材部材２５としてガラスを用いずに上げ下げ障子を用いた場合でも対応することができる。
【００２０】
次に、框組体２４の具体形状の第１の実施の形態を図３〜図５に基づいて説明する。
前記吊元框２０の面内方向内側部（戸先框２１側部）には面内方向内側（戸先框２１側）に開口した凹陥部３０が長手方向に連続して有し、その凹陥部３０の底面３０ａが上框２２、下框２３の連結面としてある。
前記戸先框２１の面内方向内側部（吊元框２０側部）には面内方向内側（吊元框２０側）に開口した凹陥部３１が長手方向に連続して有し、その凹陥部３１の底面３１ａが上框２２、下框２３の連結面としてある。
前記吊元框２０の凹陥部３０と戸先框２１の凹陥部３１は横断面が同一形状で、幅（見込み方向の寸法）と奥行（見付け方向の寸法）が同一としてある。つまり、各凹陥部３０，３１は形状、大きさが同一としてある。
【００２１】
前記上框２２、下框２３の長手方向吊元側端部分は吊元框２０の凹陥部３０に嵌合し、吊元框２０から上框２２、下框２３にビス３２を螺合して連結され、その長手方向吊元側端面２２ａ，２３ａは凹陥部３０の底面３０ａと対向して凹陥部３０内に位置して外部から目視されないようにしてある。
前記上框２２、下框２３の長手方向戸先側端部分は戸先框２１の凹陥部３１に嵌合し、戸先框２１から上框２２、下框２３にビス３３を螺合して連結され、その長手方向戸先側端面２２ｂ，２３ｂは凹陥部３１の底面３１ａと対向して凹陥部３１内に位置して外部から目視されないようにしてある。
【００２２】
前記上框２２の長手方向吊元側端部分、下框２３の長手方向吊元側端部分には吊元側連結部材４０がそれぞれ固着して取付けてある。
この各吊元側連結部材４０の吊元側端面４０ａは上框２２、下框２３の長手方向吊元側端面２２ａ，２３ｂよりも外側に突出し、その吊元側端面４０ａは、上框２２、下框２３の長手方向と直角に対して斜めの傾斜面で、この吊元側端面４０ａが吊元框２０の凹陥部３０の底面３０ａに接すると前述のコーナー角度α１が９０度よりも大きく、コーナー角度α２が９０度よりも小さくなり、上框２２、下框２３は吊元框２０に対して直角ではなく、戸先側が吊元側よりも上となるように斜めになるようにしてある。つまり、水平に対して戸先側が吊元側よりも上となるように上向き斜めとなるようにしてある。
この実施の形態では、吊元側端面４０ａはシーラ４１を介して凹陥部３０の底面３０ａに接する。
【００２３】
前記上框２２の長手方向戸先側端部分、下框２３の長手方向吊元側端部分には戸先側連結部材５０がそれぞれ固着して取付けてある。
この各戸先側連結部材５０の戸先側端面５０ａは上框２２、下框２３の長手方向戸先側端面２２ｂ，２３ｂよりも外側に突出し、その戸先側端面５０ａは上框２２、下框２３の長手方向と直角に対して斜めの傾斜面で、この戸先側端面５０ａが戸先框２１の凹陥部３１の底面３１ａに接すると、上框２２と戸先框２１のコーナー角度α３は９０度よりも小さく、下框２３と戸先框２１のコーナー角度α４は９０度よりも大きく、上框２２、下框２３は戸先框２１と直角ではなく、戸先框２１が吊元框２０とほぼ平行となるようにしてある。
【００２４】
好ましくは、前記コーナー角度α１とコーナー角度α４が等しく、コーナー角度α２とコーナー角度α３が等しく、吊元框２０と戸先框２１が平行で、上框２２と下框２３が平行となるようにする。
つまり、戸先側連結部材５０の戸先側端面５０ａは吊元側連結部材４０の吊元側端面４０ａと平行とすれば良い。
【００２５】
この実施の形態では、戸先側端面５０ａはシーラ５１を介して凹陥部３１の底面３１ａに接する。
【００２６】
前記吊元側連結部材４０又は戸先側連結部材５０の両端面をそれぞれ傾斜面とし、一方の端面を前述の吊元側端面、他方の端面を前述の戸先側端面に相当するものとすれば、その連結部材を吊元側連結部材４０、戸先側連結部材５０で共通とすることができる。
要するに、上框２２の長手方向両端部分と下框２３の長手方向両端部分に連結部材をそれぞれ固着し、その各連結部材の端面を上框２２、下框２３の長手方向両端面よりも突出すると共に、前記端面を斜めの傾斜面とし、その各端面を各凹陥部３０，３１の底面３０ａ，３１ａに接するようにして上框２２、下框２３と吊元框２０、戸先框２１を連結すれば良い。
【００２７】
框組体２４を前述のように構成することで、框組体２４を見た時に、吊元框２０、戸先框２１と上框２２、下框２３の連結部分が目視されないので見栄えが良い。
また、建具体２の垂れ下がりは、その大きさ、重さなどで異なるので、前述のコーナー角度α１，α２，α３，α４を建具体２の垂れ下がりに対応した角度とすることが好ましいが、前述のように各連結部材の端面の角度を変えることでコーナー角度α１，α２，α３，α４を任意の角度にできるから、上框２２、下框２３の長手方向両端面はコーナー角度に関係なく同一の角度、例えば長手方向と直角の角度とすることができ、その上框２２、下框２３の切断作業が容易である。
つまり、上框２２、下框２３は長尺材を所定の長さに切断して作製している。
【００２８】
前記上框２２、下框２３は、上下中間に中空部２２ｃ，２３ｃ、上部に上向凹部２２ｄ，２３ｄ、下部に下向凹部２２ｅ，２３ｅを長手方向に連続してそれぞれ有すると共に、中空部２２ｃ，２３ｃ内面にはビスホール２２ｆ，２３ｆを長手方向に連続して有している。
前記吊元側連結部材４０、戸先側連結部材５０は上框２２、下框２３の中空部２２ｃ，２３ｃ内に挿入して設けられ、上向凹部２２ｄ，２３ｄ及び下向凹部２２ｅ，２３ｅから固着具４２，５２を吊元側連結部材４０、戸先側連結部材５０にそれぞれ螺合して固着することで取付けてある。
このようであるから、吊元側連結部材４０、戸先側連結部材５０及び各固着具４２，５２が外部から目視されずに見栄えが良いようにできる。
【００２９】
前記吊元側連結部材４０、戸先側連結部材５０は、一側縦板４３，５３と他側縦板４４，５４と上横板４５，５５と下横板４６，５６で断面略矩形中空形状で、その上横板４５，５５、下横板４６，５６に固着具４２，５２が螺合されるようにしてある。
【００３０】
次に、框組体２４の具体形状の第２の実施の形態を図６、図７に基づいて説明する。
この実施の形態は第１の実施の形態の吊元側連結部材４０、戸先側連結部材５０を上連結部材と下連結部材で構成したことが第１の実施の形態と相違し、他の構成は第１の実施の形態と同様である。
具体的には、吊元側連結部材４０を上連結部材４７と下連結部材４８の２部材で構成し、上框２２、下框２３の中空部２２ｃ，２３ｃの上部寄りに上連結部材４７を固着具４２で固着して長手方向に位置調整自在に取付け、下部寄りに下連結部材４８を固着具４２で固着して長手方向に位置調整自在に取付ける。例えば、中空部２２ｃ，２３ｃの上部分と下部分に長手方向の長孔４７ａ，４８ａを形成し、この長孔４７ａ，４８ａを挿通して固着具４２を上連結部材４７、下連結部材４８に螺合する。
前記戸先側連結部材５０も同様に上連結部材５７と下連結部材５８の２部材で構成し、前述の吊元側連結部材４０と同様に取付ける。
【００３１】
このようにすれば、上連結部材４７，５７と下連結部材４８，５８の長手方向の取付け位置を変えて上連結部材４７，５７の上框２２、下框２３からの突出寸法と下連結部材４８，５８の上框２２、下框２３からの突出寸法の差を変えることで吊元框２０と上框２２、下框２３のコーナー角度、上框２２、下框２３と戸先框２１のコーナー角度を調整することができる。
【００３２】
次に、框組体２４の具体形状の第３の実施の形態を図８に基づいて説明する。
この実施の形態の吊元框２０、戸先框２１、上框２２、下框２３は第１の実施の形態と同一である。
前記上框２２、下框２３の吊元側端面２２ａ，２３ａを吊元側ライナー６０を介して吊元框２０の凹陥部３０の底面３０ａに接し、前述のようにビス３２でそれぞれ連結する。
この吊元側ライナー６０は一端面６０ａと他側面６０ｂが平行ではなく下向きのＶ字形状で、その一端面６０ａが上框２２、下框２３の吊元側端面２２ａ，２３ａに接し、他端面６０ｂが吊元框２０の凹陥部３０の底面３０ａに接することで、上框２２と吊元框２０のコーナー角度α１が９０度より大きく、下框２３と吊元框２０のコーナー角度α２が９０度より小さくなるようにしてある。
【００３３】
この実施の形態では、吊元側ライナー６０の一端面６０ａ、他端面６０ｂはシーラ６１を介して吊元側端面２２ａ，２３ａ、凹陥部３０の底面３０ａに接している。
また、吊元側ライナー６０にはビス３２が挿通するビス挿通孔６２が形成され、このビス挿通孔６２を挿通したビス３２が上框２２、下框２３のビスホール２２ｆ，２３ｆに螺合している。
また、吊元側ライナー６０は凹陥部３０内に位置して外部から目視されないようにしてある。
【００３４】
前記上框２２、下框２３の戸先側端面２２ｂ，２３ｂを戸先側ライナー７０を介して戸先框２１の凹陥部３１の底面３１ａに接し、前述のようにビス３３でそれぞれ連結する。
この戸先側ライナー７０は一端面７０ａと他側面７０ｂが平行ではなく上向きのＶ字形状で、その一端面７０ａが上框２２、下框２３の戸先側端面２２ｂ，２３ｂに接し、他端面７０ｂが戸先框２１の凹陥部３１の底面３１ａに接することで、上框２２と戸先框２１のコーナー角度α３が９０度より小さく、下框２３と戸先框２１のコーナー角度α４が９０度より大きくなるようにしてある。
【００３５】
この実施の形態では、戸先側ライナー７０の一端面７０ａ、他端面７０ｂはシーラ７１を介して戸先側端面２２ｂ，２３ｂ、凹陥部３１の底面３１ａに接している。
また、戸先側ライナー７０にはビス３３が挿通するビス挿通孔７２が形成され、このビス挿通孔７２を挿通したビス３３が上框２２、下框２３のビスホール２２ｆ，２３ｆに螺合している。
また、戸先側ライナー７０は凹陥部３１内に位置して外部から目視されないようにしてある。
【００３６】
この実施の形態においても、吊元側ライナー６０の一端面６０ａと他端面６０ｂの角度と戸先側ライナー７０の一端面７０ａと他端面７０ｂの角度を同一にすれば、吊元框２０と戸先框２１を平行にできると共に、上框２２と下框２３を平行にできる。
また、前述のようにした場合には吊元側ライナー６０と戸先側ライナー７０を共通とし、上下反転して用いることが可能である。
【００３７】
要するに、この実施の形態の発明は、上框２２、下框２３の長手方向両端面をＶ字形状のライナーを介して凹陥部３０，３１の底面３０ａ，３１ａに接するように連結すれば良い。
【図面の簡単な説明】
【００３８】
【図１】本発明の実施の形態を示す建具の正面図である。
【図２】框組体の正面図である。
【図３】框組体の具体形状の第１の実施の形態を示す一部破断正面図である。
【図４】図３のＡ−Ａ拡大断面図である。
【図５】框組体の分解斜視図である。
【図６】框組体の具体形状の第２の実施の形態を示す一部破断正面図である。
【図７】図６のＢ−Ｂ拡大断面図である。
【図８】框組体の具体形状の第３の実施の形態を示す一部破断正面図である。
【符号の説明】
【００３９】
１…建具枠、２…建具体、３…ヒンジ、１０…上枠、１１…下枠、１２…縦枠、２０…吊元框、２１…戸先框、２２…上框、２３…下框、２４…框組体、３０…凹陥部、３０ａ…底面、３１…凹陥部、３１ａ…底面、３２…ビス、３３…ビス、４０…吊元側連結部材、４１…シーラ、４７…上連結部材、４８…下連結部材、５０…戸先側連結部材、５１…シーラ、６０…吊元側ライナー、７０…戸先側ライナー。
【図１】
2008180023.tif 000003
【図２】
2008180023.tif 000004
【図３】
2008180023.tif 000005
【図４】
2008180023.tif 000006
【図５】
2008180023.tif 000007
【図６】
2008180023.tif 000008
【図７】
2008180023.tif 000009
【図８】
2008180023.tif 000010